Podtech/llm-jp-corpus-v4-ja_patent huggingface dataset:
(57)【要約】      （修正有）【課題】電力を用いることなく空気を加湿し、かつ、観賞用としても楽しむことができる極めて安価な加湿器を提供する。【解決手段】布により植物の形状に形成してなる吸水体５の下端５ａを容器１内の水３に浸けた状態で該容器１に支持させたことを特徴とする。吸水体５を形成する布は、顕著な毛細管現象を示す綿、麻等の天然繊維よりなるものを使用することが望ましい。吸水体５の一部をなす花弁５ｂの形状を保持させるために、針金等の芯材に布片を取り付けてもよい。【選択図】図１
0003152773.tif 000002
【実用新案登録請求の範囲】
【請求項１】
布により植物の形状に形成してなる吸水体の下端を容器内の水に浸けた状態で該容器に支持させたことを特徴とする加湿器。
【考案の詳細な説明】
【技術分野】
【０００１】
本考案は、加湿器に関するものであり、特に、電力を用いることなく空気を加湿し、かつ、観賞用としても楽しむことができる極めて安価な加湿器に係るものである。
【背景技術】
【０００２】
加湿器としては、例えば特開平８−１４５４２０号公報に示すように、従来より種々のものが知られている。
【０００３】
上記特開平８−１４５４２０号公報に示す加湿器（以下「従来の加湿器」という。）は、ケーシング内に、加湿用水を保持するためのタンクと、加湿ユニットと、該タンクから該加湿ユニットに加湿用水を供給するための給水手段と、該加湿ユニットに空気を供給するための送風手段と、空気の吸気口と、該加湿ユニットにおいて加湿された空気を排出するための排気口とを備えている。
【先行技術文献】
【特許文献】
【０００４】
【特許文献１】特開平８−１４５４２０号公報
【考案の概要】
【考案が解決しようとする課題】
【０００５】
上記従来の加湿器は、優れた加湿能力を備えてはいるものの、構造が複雑であるため高価であり、電力を用いるため運転費がかかると共に運転時に音を発する等の問題がある。
【０００６】
本考案は、上記従来の加湿器におけるこのような問題を解決し、電力を用いることなく空気を加湿し、かつ、観賞用としても楽しむことができる極めて安価な加湿器を提供しようとしてなされたものである。
【課題を解決するための手段】
【０００７】
上記課題を解決するために、本考案は、下記の加湿器を提供する。
【０００８】
布により植物の形状に形成してなる吸水体の下端を容器内の水に浸けた状態で該容器に支持させたことを特徴とする加湿器。
【考案の効果】
【０００９】
本考案によれば、布により形成した吸水体の下端が容器内の水に浸けられているため、毛細管現象により、該下端から水が吸水体全体に浸潤する。吸水体全体に浸潤した水は、蒸発して周囲の空気を加湿する。
【００１０】
すなわち、本考案による加湿器は、構造が簡単であって極めて安価に提供することができるだけでなく、電力を用いることなく空気を加湿するものであるため、運転費は皆無であり、運転時の音も発しない。
【００１１】
更に、吸水体は布により所望の植物の形状に形成してなるものであるため、本考案による加湿器は観賞用としても楽しむことができるものである。
【図面の簡単な説明】
【００１２】
【図１】図１は、本考案による加湿器の一例を示す断面図である。
【図２】図２は、吸水体の一部を示す正面図である。
【考案を実施するための形態】
【００１３】
符号１に示すものは容器である。
【００１４】
容器１は、例えば陶器、磁器等により形成するが、金属、ガラス等により形成しても差し支えない。
【００１５】
図１に示す事例においては、容器１はコーヒーカップないしティーカップの如き外観を有するが、容器１の形状はこれに限定されるものではない。
【００１６】
容器１内には、水３を入れる。
【００１７】
布により所望の植物の形状に形成してなる吸水体５の下端５ａを容器１内の水３に浸けた状態で該容器１に支持させる。
【００１８】
吸水体５は、ガーゼ等の布により形成する。
【００１９】
吸水体５を形成する布は、顕著な毛細管現象を示す綿、麻等の天然繊維よりなるものを使用することが望ましい。
【００２０】
吸水体５は、所望の植物の形状に形成する。
【００２１】
図示の事例においては、吸水体５はバラ等の花を模して形成されているが、吸水体１は必ずしも花の形状に形成する必要はなく、例えば観葉植物、サボテン等の形状に形成しても差し支えない。
【００２２】
また、吸水体５は、適宜の色彩を有する布により形成する。
【００２３】
図２に示す事例においては、吸水体５の一部をなす花弁５ｂの形状を保持させるために、針金等の芯材７に布片９を取り付けている。
【符号の説明】
【００２４】
１  容器
３  水
５  吸水体
５ａ  下端
５ｂ  花弁
７  芯材
９  布片
【図１】
0003152773.tif 000003
【図２】
0003152773.tif 000004
(57)【要約】      （修正有）【課題】アルミ缶や鉄の缶等のプルトップを開けることができる、安全で安価なワンハンドプルトップ開けツールを提供する。【解決手段】ステンレスワイヤーのような一本のワイヤーを用いてワイヤーフォーミングで成型する。トーションばね用の構造で、概逆Ｕ字型からほぼ直角に曲げられた先端部６は常にコイルシース４に納められていて、これが細いワイヤーが曲がらない役目をしている。概逆Ｕ字型の部分５をプルトップ部分に差し込み、プルトップを開ける。【選択図】図１
0003152705.tif 000002
【実用新案登録請求の範囲】
【請求項１】
一本のワイヤーを用いた二本の長い腕を有するトーションバネ用のもので、片方がほぼ直角に曲げられた形でコイルをなし、かつそのコイルの端部は更にほぼ直角に曲げられた長円形のフック状のガードを有するものと、一方、もう片方の腕はコイルに先端を挿入した時コイル状の腕より、約０．５〜３．０ｃｍ高くした概逆Ｕ字型の形状を作り、かつ概逆Ｕ字型の一方をほぼ直角に曲げた作用部からなるもので、この概逆Ｕ字型の先端がアルミ缶等のプルトップに差し込みやすいようにしたワイヤー製ツール  尚、概Ｕ逆字形の横幅は５ｍｍ〜１ｃｍが望ましい
【考案の詳細な説明】
【技術分野】
【０００１】本考案はコーヒー缶やビール缶のプルトップを開けるワイヤー製の利器である
【背景技術】
【０００２】従来プルトップを開けるワイヤー製のツールはほとんど見当たらなかった  それも片手で開けられるものは全く見当たらない
プルトップを開ける物としては金属やプラスチックの板状の物やスプーンがある
【考案の開示】
【考案が解決しようとする課題】
【０００３】高齢者や女性のみならず現代人は爪を使うことが少なくなってきているので、アルミカンのプルトップを開けるのに四苦八苦している  爪を使えば爪を痛めたり、爪によごれが入ったり、とにかく爪は使われなくなっている
アルミ缶のプルトップを開けるのにスプーンやナイフや鋏を使うといった事例はもはや当たり前になってきているしかしナイフや鋏などは鋭利すぎて怪我をする恐れも多いし、すぐ手元にあるとは限らない  従って本発明が解決しようとする課題は爪や指先を使わず、身障者でも片手でプルトップが開けられる安全で安価なワイヤー製の簡易利器を消費者に広く提供しようとするものである
【課題を解決するための手段】
【０００４】本発明はステンレスワイヤーのような比較的安価な材料を用いて、しかもワイヤーフォミングで成形するトーションバネ様の構造で概逆Ｕ字型の一方をほぼ直角に曲げた先端の作用部が常にコイルシースの中に納められていて、これがプルトップを開ける時ワイヤーが曲がらない機構になっている
【考案の効果】
【０００５】上述のように本発明の概逆Ｕ字型の突起部を有するワイヤー製ツールは、プルトップを開ける時丸線である為滑りがよく力を入れなくとも抵抗無くプルトップを開けることが出来る  なれれば片手のみでプルトップを開けることが出来る
【考案を実施する為の最良の形態】
【０００６】請求項１ではワイヤーは直径２ｍｍ程度のステンレス製のばね用線材を用い所定の形状にワイヤーフォーミング機と手加工で仕上げる  ハンドル部分の長さは持ちやすいように８０ｍｍ程度に、作用部は８２ｍｍ〜１１２ｍｍ程度、コイルシースは１４〜１５巻程度、コイル端部のオーバルガードはフック状になるがコイルから１７〜２５ｍｍ程度に突出させる  ハンドルのループ部は半径７〜８ｍｍ程度、作用部の概逆Ｕ字形はコイルシースの穴部の中心から１０〜１４ｍｍ程度上部に突起しているのが望ましい
【実施例】
【０００７】以下添付図に従って一実施例を説明する  １はハンドル、２は下ハンドル、３はループ部、４はコイルシース、５は概逆Ｕ字型を有する作用部、６は先端部、７はオーバルガード、８はワイヤー製ワンハンドプルトップ開けツール
【産業上の利用可能性】
【０００８】本品は以上のように構成されたもので、安価軽量であるので家庭用品やノベルティグッツはもちろん、高齢者や身障者用のプルトップ開けとしても利用しやすい
【図面の簡単な説明】
【０００９】
【図１】ワイヤー製のワンハンドプルトップ開けツ−ルの斜視図である
【図２】アルミ缶のプルトップを開けている場合の斜視図である
【符号の説明】
【００１０】  １  上ハンドル
２  下ハンドル
３  ループ部
４  コイルシ−ス
５  作用部
６  先端部
７  オーバルガード
８  ワイヤー製ワンハンドプルトップ開けツール
９  アルミ缶
１０  プルトップ
【図１】
0003152705.tif 000003
【図２】
0003152705.tif 000004
【手続補正書】
【提出日】平成21年5月15日(2009.5.15)
【手続補正１】
【補正対象書類名】実用新案登録請求の範囲
【補正対象項目名】全文
【補正方法】変更
【補正の内容】
【実用新案登録請求の範囲】
【請求項１】
一本のワイヤーを用いた二本の長い腕を有すると−ションバネ用のもので、片方がほぼ直角に曲げられた形でコイルをなし、かつそのコイルの端部は、更にほぼ直角に曲げられた長円形のフック状のガードを有するものと、一方、もう片方の腕はコイルに先端を挿入した時コイル状の腕より、約０．５〜３．０ｃｍ高くした概逆Ｕ字型の形状を作り、かつ概逆Ｕ字型の一方をほぼ直角に曲げた作用部からなるもので、この概逆Ｕ字型の先端がアルミ缶等のプルトップに差し込みやすいようにしたことを特徴とするワイヤー製のワンハンドプルトップ開けツール。
(57)【要約】      （修正有）【課題】堅く密閉した缶、瓶等の蓋を力の弱い者でも容易に開く事が出来る蓋開き器具を提供する。【解決手段】主竿１の一方には移動可能で且つ所望の位置に固定可能の固定狭着子２を配備し、該主竿の他方には主竿１に沿ってスライド可能の可動狭着子を対向配備する。主竿１端部に配置した押圧螺子４により可動狭着子３背面を押圧する。固定狭着子２と可動狭着子３との間に蓋を挟み、可動狭着子３を押圧螺子４で押圧して螺子の楔効果により強固に狭着一体化する。【選択図】図１
0003152704.tif 000002
【実用新案登録請求の範囲】
【請求項１】
主竿（１）の一方に主竿（１）に沿って移動可能で且つ所望の位置に固定可能の固定狭着子（２）を配備し、他方には主竿（１）に沿ってスライド可能の可動狭着子（３）を対向配備する。主竿（１）端部に配置した押圧螺子（４）により可動狭着子（４）を押圧する事を特徴とする蓋開き器具。
【請求項２】
請求項1に於いて固定狭着子（１）と可動狭着子（３）との対向面はＶ字型に窪ませた狭着面（５）とする事を特徴とする蓋開き器具。
【考案の詳細な説明】
【技術分野】
【０００１】
本考案は、手の力、握力の衰えた者でも密閉した瓶蓋や缶蓋などの蓋を開き易くする蓋開き器具に関するものである。
【背景技術】
【０００２】
従来モンキースパナ、プライヤ、クランプ等の工具を用いて蓋開きすることは容易に考えられる。しかしこれらの工具は汎用性があるけれど比較的大口径の瓶蓋や缶蓋などの円形で滑りやすい物体の握持は不得意である。また構造的にも複雑で大型となる。
【０００３】
従来きつく密閉された瓶蓋等の開缶には蓋周縁を軽く叩くか、暖めるなどして蓋を膨張させることにより瓶蓋をゆるめて開缶することができた。
或いは帯状のゴムを蓋に巻きつけ、またはすべり止め布材を被せて開缶すれば素手で行うよりは滑ることなく容易に開缶できた。
【０００４】
しかし、密閉された蓋の開缶に於いて蓋周縁を軽く叩くか、暖めるなど蓋の膨張により蓋をゆるめて開缶する作業には手加減が必要であり難儀であった。
【０００５】
また帯状のゴムを蓋に巻きつけ、或いは滑り止め布材を被せることにより開缶する方法では握力と、回転力に力が分散されるのでかなりの力が必要である。女性や老人子供など、握力が無ければいくら滑り止めをしても滑って開缶できないこともある。
【先行技術文献】
【特許文献】
【０００６】
【特許文献１】登録実用新案第3029492号
【考案の概要】
【考案が解決しようとする課題】
【０００７】
解決しようとする問題点は、堅く密閉した瓶蓋などの蓋を力の弱い者が容易に開く事が出来無い点である。
【課題を解決するための手段】
【０００８】
本考案は、主竿（１）の一方には主竿（１）に沿って移動可能で且つ所望の位置に固定可能の固定狭着子（２）を配備し、該主竿の他方には主竿（１）に沿ってスライド可能の可動狭着子（３）を対向配備する。主竿（１）端部に配置した押圧螺子（４）により可動狭着子（３）背面を押圧する。
【考案の効果】
【０００９】
本考案の蓋開き器具は、蓋の大きさに見合う位置に固定狭着子（２）を移動固定した後、固定狭着子（２）と可動狭着子（３）との間に蓋を挟み、押圧螺子（４）を回転することで可動狭着子（３）を固定狭着子（２）側へ押し出し蓋を狭着する。この押圧螺子（４）の楔効果により強固に狭着一体化するから、蓋を握り締める握力に頼ることなく本考案の蓋開き器具の適当な所を掴んで回せば回転力に集中して開缶できる。構造簡単にして大小蓋径の開缶に汎用できる利点がある。
【図面の簡単な説明】
【００１０】
【図１】蓋開き器具の実施方法を示した説明図である。（実施例１）
【考案を実施するための形態】
【００１１】
本考案は、主竿（１）の一方には主竿（１）に沿って移動可能で且つ所望の位置に固定可能の固定狭着子（２）を配備し、該主竿の他方には主竿（１）に沿ってスライド可能の可動狭着子（３）を対向配備する。主竿（１）端部に配置した押圧螺子（４）により可動狭着子（３）背面を押圧する。
【実施例１】
【００１２】
図１は、本考案の蓋開き器具の１実施例の説明図であり、主竿（１）の一方には固定狭着子（２）を移動可能で且つ所望の位置に固定すべく、接合面に鋸歯状凹凸面（７）を形成して固定狭着子（２）と主竿（１）の接合をズレないようにした。可動狭着子（３）には主竿（１）に嵌合する溝を形成してスライド可能とし、主竿（１）端部には押圧螺子（４）を配置して螺子（４）の回転に伴う出入りで可動狭着子（３）を押圧出来るようにした。
固定狭着子（２）と可動狭着子（３）の対向する狭着面（５）はＶ字型として蓋径の大小に適合できるとともに狭着力が安定する。狭着面（５）には滑りにくいゴム等の摩擦材を装着して滑り止めを施す。
【産業上の利用可能性】
【００１３】
家庭用の蓋開き器具として利用が見込まれる。
【符号の説明】
【００１４】
１    主竿
２    固定狭着子
３    可動狭着子
４    押圧螺子
５    狭着面
６    固定螺子
７    凹凸面
【図１】
0003152704.tif 000003
【手続補正書】
【提出日】平成21年4月4日(2009.4.4)
【手続補正１】
【補正対象書類名】実用新案登録請求の範囲
【補正対象項目名】全文
【補正方法】変更
【補正の内容】
【実用新案登録請求の範囲】
【請求項１】
主竿（１）の一方に主竿（１）に沿って移動可能で且つ所望の位置に固定可能の固定狭着子（２）を配備し、他方には主竿（１）に沿ってスライド可能の可動狭着子（３）を対向配備するとともに、主竿（１）端部に配置した押圧螺子（４）により可動狭着子（４）を押圧する事を特徴とする蓋開き器具。
【手続補正書】
【提出日】平成21年6月3日(2009.6.3)
【手続補正１】
【補正対象書類名】実用新案登録請求の範囲
【補正対象項目名】全文
【補正方法】変更
【補正の内容】
【実用新案登録請求の範囲】
【請求項１】
主竿（１）の一方に主竿（１）に沿って移動可能で且つ所望の位置に固定可能の固定狭着子（２）を配備し、他方には主竿（１）に沿ってスライド可能の可動狭着子（３）を対向配備するとともに、主竿（１）端部に配置した押圧螺子（４）により可動狭着子（3）を押圧する事を特徴とする蓋開き器具。
(57)【要約】      （修正有）【課題】いかなる形状の燃料タンクにおいても便利な方法で装着出来る旋回槽を提供する。【解決手段】車両用燃料タンクに形成された小さな燃料ポンプ取り付け穴から挿入できるよう燃料ポンプに固定された旋回槽本体を分割し、分割した旋回槽の底面どうしを蝶番で固定することにより、大きな旋回槽でも開いた状態で挿入でき、また車両用燃科タンク内挿入後は開いていた旋回槽が分割された旋回槽どうしをつなぐスプリングにより引っ張られ、元の形に戻る事による自動組み立てができる。【選択図】図１
0003152706.tif 000002
【実用新案登録請求の範囲】
【請求項１】
車両用の燃料タンクの内部に収容配置される旋回槽であって、車両用燃料タンクに形成された燃料ポンプ取り付け穴から挿入できる大きさに分解でき、車両用燃料タンク内で自動組み立て出来る構造とした事を特徴とする車両用燃料タンクの旋回槽。
【考案の詳細な説明】
【技術分野】
【０００１】本考案は車両用燃料タンク内での自動組み立て出来る旋回槽に関するものである。
【背景技術】
【０００２】従来車両用燃料タンクの旋回槽は燃料タンク本体製造時に内部にて配置されているか、アフターパーツとして売られている製品は燃料タンク内での手組みによる物である。
【先行技術文献】
【特許文献】
【０００３】また樹脂製の旋回槽などは、折りたたんで燃料ポンプ取り付け穴から挿入し燃料タンク内部に設置していた。【特許文献１】
【特許文献２】
【非特許文献】
【０００４】しかし、上記の如き車両製造時に設置された旋回槽では、燃料タンク内の燃料残量が少なく車両が旋回し長時間にわたってタンク内の燃料が片寄ると、旋回槽の容量が不足し安定してエンジンに燃料が供給出来ない事があり、その場合モータースポーツなどで使用する車両は通常、燃料タンク外に小さめのコレクタータンクと言われる補助タンクを設置していた。しかし前記の如きコレクタータンクと言われる補助タンクだと、燃料タンク外に設置する為車内がガソリン臭くなったり、別に専用のポンプも必要となる為費用も大変高価な物であった。また燃料ポンプ取り付け穴が大きい車両の場合は容量が大きい旋回槽を燃料タンク内で手での組み立てが可能でしたが、燃料ポンプ取り付け穴が小さい車両では燃料タンク内で手での組み立てが出来なく今まで容量の大きい旋回槽がつくられていなかった。【非特許文献１】
【非特許文献２】
【考案の概要】
【考案が解決しようとする課題】
【０００５】本考案は前記従来技術の問題点を鑑みなされたもので、いかなる形状の燃料タンクにおいても便利な方法で装着出来る旋回槽を提供することを目的としのものである。
【課題を解決するための手段】
【０００６】本考案は車両用燃料タンク内部に設置する旋回槽であって、燃料ポンプ取り付け穴から挿入できる大きさに分解し、車両用燃料タンク内部にて自動組み立て可能に形成されている事を特徴としている。
【考案の効果】
【０００７】したがって、本考案の旋回槽はそのままのおおきさでは車両用燃料タンクの燃料ポンプ取り付け穴から内部に挿入できない大きさであったとしても、分解自動組み立て式としたことで、前記の燃料ポンプ取り付け穴からの挿入が可能となり、また車両用燃料タンク内部で自動組み立てすることで旋回槽としての必要な機能が得られる。【０００８】また、自動組み立て式なので燃料ポンプ取り付け穴が小さい車両でも大きな容量の旋回槽が付けれる為さまざまな車種に展開できる。
【図面の簡単な説明】
【０００９】
【図１】は、本考案の概要を示す図で旋回槽の組み立て状態での斜視図。
【図２】は、旋回槽の分解状態での斜視図。
【図３】は、旋回槽を備えた車両用燃料タンクの概略斜視図。
【考案を実施するための形態】
【００１０】以下、本考案の実施形態を図面と共に詳述する。
【００１１】図１において本体は（１）旋回槽燃料ポンプ側、（２）旋回槽燃料貯蔵ボックス側、（３）旋回槽底面固定蝶番、（４）フラップ付き燃料取入れ口、（５）燃料ポンプ固定金具（６）旋回槽を燃料タンクの底に押さえつける為のスプリング、（７）は（１）と（２）を図２の状態から図１の状態にする為のスプリング、（８）リターン燃料取入れ口、（９）燃料ポンプ挿入口、（１０）登り坂用燃料取入れ口、（１１）旋回槽と燃料ポンプ固定金具を繋ぐガイドボルトからなる箱型形状に形成された旋回槽である。
【００１２】前記旋回槽は図２に示すように、旋回槽本体を燃料ポンプに固定する為に（５）を燃料ポンプに固定して（６）のスプリングにより常に燃料タンクの底に押さえつける。（１）と（２）は底面に蝶番で留めてあり、燃料タンク挿入時は図２のように開いた状態で入れ、燃料タンク内挿入後は図１のように（７）のスプリングにより引っ張られて固定される。
【実施例】
【００１３】また旋回槽を図３に示すように車両用燃料タンク（１２）内部に配置するには、まず図２の状態にして（１３）の燃料ポンプ取り付け穴より内部に挿入して（２）の部分が完全に入れ続いて（１）の部分も完全に入ったら燃料タンク内で自動的に（１）と（２）が図１のような形になりそのまま燃料ポンプを下ろして行き元の状態の位置で燃料ポンプと燃料タンクを固定することにより旋回槽の機能を発揮する。
【符号の説明】
【００１４】  １．旋回槽燃料ポンプ側  ２．旋回槽燃料貯蔵ボックス側  ３．旋回槽底面固定蝶番  ４．フラップつき燃料取入れ口  ５．燃料ポンプ固定金具  ６．旋回槽を燃料タンクの底に押さえつける為のスプリング  ７．１と２を引き合わすためのスプリング  ８．リターン燃料取入れ口  ９．燃料ポンプ挿入口１０．登り坂用燃料取入れ口１１．旋回槽と燃料ポンプ固定金具を繋ぐガイドボルト１２．車両用燃料タンク１３．燃料ポンプ取り付け穴１４．燃料ポンプ
【図１】
0003152706.tif 000003
【図２】
0003152706.tif 000004
【図３】
0003152706.tif 000005
【手続補正書】
【提出日】平成21年5月15日(2009.5.15)
【手続補正１】
【補正対象書類名】実用新案登録請求の範囲
【補正対象項目名】全文
【補正方法】変更
【補正の内容】
【実用新案登録請求の範囲】
【請求項１】
車両用の燃料タンクの内部に収容配置される金属製の旋回槽であって、車両用燃料タンクに形成された小さな燃料ポンプ取り付け穴から挿入できるよう燃料ポンプに固定された旋回槽本体を分割し、分割した旋回槽の底面どうしを蝶番で固定することにより、大きな旋回槽でも開いた状態で挿入でき、また車両用燃科タンク内挿入後は開いていた旋回槽が分割された旋回槽どうしをつなぐスプリングにより引っ張られ、元の形に戻る事による自動組み立てができ、また車両用燃料タンクと燃料ポンプを固定した時、旋回槽の状態が常に車両用燃料タンクの底面にあるよう燃料ポンプ固定金具と旋回槽との間にスプリングを入れる事により旋回槽が常に車両用燃料タンクの底面に押さえつけられ、また燃料が旋回槽に入る事ができ、入った燃料が旋回槽の外に出ないよう旋回槽にフラップ付き燃料取入れ口が付いている構造とした事を特徴とする車両用燃料タンクの旋回槽。
(57)【要約】      （修正有）【課題】袋状にして使用できる風呂敷を提供する。【解決手段】相対する２辺の中点を結ぶ線状であって、２辺周縁沿いに一対のループ２を設けたことを特徴とする。【選択図】図１
0003152708.tif 000002
【実用新案登録請求の範囲】
【請求項１】
相対する２辺中央を結ぶ線上に一対のループを設けた風呂敷であって、前記ループは風呂敷の前記２辺の周縁沿いにもうけたことを特徴とする風呂敷。
【考案の詳細な説明】
【技術分野】
【０００１】  本考案は袋物にも使えるようにした風呂敷に関するものである。
【背景技術】
【０００２】  従来の風呂敷は物をつつむためのもので通常正四角形につくられた。
【考案の開示】
【考案が解決しようとする課題】
【０００３】  しかし、従来の風呂敷は袋状にして使用できないという問題があった、本考案はこのような従来の問題点を解消を解決することを課題とする。
【課題を解決するための手段】
【０００４】  本考案が提供する風呂敷は相対する２辺の中点を結ぶ線上に一対のループを設けた風呂敷であって、前記２辺周緑沿いに設けたことを特徴とするものである。
【考案の効果】
【０００５】  本考案の風呂敷はループに隣り合う両方の隅部を通しむすんでこれを持ち手とする事によりこの持ち手でさげる袋物となる。
【考案を実施するための最良の形態】
【０００６】  以上、本考案を実施するための最良の形態を実施例によって図面を参考にしながら説明をする。相対する２辺（ａ）（ａ）の中点（ｂ）（ｂ）を結ぶ線（ｃ）上に一対のループ（２）（２）を設けた風呂敷（１）であって、前記ループ（２）（２）は風呂敷（１）の前記２辺の周緑沿いに設けたことを特徴とする風呂敷。
【図面の簡単な説明】
【０００７】
【図１】風呂敷の正面図である。
【図２】図１の風呂敷を袋物にした状態を示す斜視図である。
【符号の説明】（１）風呂敷
（２）ループ
（ａ）相対する辺
（ｂ）中点
（ｃ）線上
【図１】
0003152708.tif 000003
【図２】
0003152708.tif 000004
(57)【要約】      （修正有）【課題】電力を使用しないで気泡を発生させる家庭用のコンパクトな足湯器を提供する。【解決手段】支軸板２２の上にシーソー状に回動する着座板２３と、台座板２１の支軸板２２を挟んで左右に、外形形状を左右対称とした、逆支弁を有する吸気孔２５，２５と逆支弁を有する排気孔２６，２６を備え、側壁に上下方向に伸縮可能な蛇腹状の箱状容器２４，２４を設けて、この二つの箱状容器２４，２４の上下を台座板２１と着座板２３に固着したものからなっており、足湯器Ａは、両足を収容することができる上部が開放された湯槽１０と、四角柱の中を二本の通気孔１２，１２が上縁から下端を経由して湯槽１０の底板の中を通って左右の足裏まで通じるよう形成されたものからなり、着座式送風器Ｂの二つの排気孔２６，２６と足湯器Ａの上縁にある二つの通気孔１２，１２を着脱可能な二本の通気管３０，３０で嵌合する。【選択図】図１
0003152737.tif 000002
【実用新案登録請求の範囲】
【請求項１】
着座式送風器は、中央を支軸板とする台座板の断面が逆Ｔ字状をなして、該支軸板の上にシーソー状に回動する着座板と、前記台座板の支軸板を挟んで左右に、外形形状を左右対称とした、逆支弁を有する吸気孔と逆支弁を有する排気孔を備え、側壁に上下方向に伸縮可能な蛇腹状の箱状容器を設けて、該二つの箱状容器の上下を前記台座板と前記着座板に固着したものからなり、足湯器は、両足を収容することができる上部が開放された湯槽と、該湯槽の外側面に上縁から下端まである四角柱を有し、該四角柱の中を二本の通気孔が上縁から下端を経由して前記湯槽の底板の中を通って左右の足裏まで通じるよう形成されたものからなり、前記着座式送風器と前記足湯器で構成された足湯セットにおいて、前記着座式送風器の二つの排気孔と前記足湯器の上縁にある二つの通気孔を着脱可能な二本の通気管で嵌合することを特徴とする足湯セット。
【考案の詳細な説明】
【技術分野】
【０００１】本考案は、電力を使用せず気泡を放出する家庭用の足湯器である。
【背景技術】
【０００２】気泡の出る家庭用足湯器はあるが電力を使用したものが多い。
【考案の概要】
【考案が解決しようとする課題】
【０００３】本考案は、電力を使用しないで気泡を発生させる家庭用のコンパクトな足湯器を提供することを目的としている。
【課題を解決するための手段】
【０００４】着座式送風器Ｂは、中央を支軸板２２とする台座板２１の断面が逆Ｔ字状をなして、この支軸板２２の上にシーソー状に回動する着座板２３と、前記台座板２１の支軸板２２を挟んで左右に、外形形状を左右対称とした、逆支弁を有する吸気孔２５，２５と逆支弁を有する排気孔２６，２６を備え、側壁に上下方向に伸縮可能な蛇腹状の箱状容器２４，２４を設けて、この二つの箱状容器２４，２４の上下を前記台座板２１と前記着座板２３に固着したものからなっている。【０００５】また、足湯器Ａは、両足を収容することができる上部が開放された湯槽１０と、この湯槽１０の外側面に上縁から下端まである四角柱１１を有し、この四角柱１１の中を二本の通気孔１２，１２が上縁から下端を経由して前記湯槽１０の底板の中を通って左右の足裏まで通じるよう形成されたものからなっている。【０００６】そして、着座式送風器Ｂの二つの排気孔２６，２６と前記足湯器Ａの上縁にある二つの通気孔１２，１２を着脱可能な二本の通気管３０，３０で嵌合する。
【考案を実施するための最良の形態】
【０００７】本考案を図で説明すると、着座式送風器Ｂを椅子等の上に置き足元に適温、適量のお湯を入れた足湯器Ａを置いた後、着座式送風器Ｂの二つの排気孔２６，２６と前記足湯器Ａの上縁にある二つの通気孔１２，１２を着脱可能な二本の通気管３０，３０で嵌合する。【０００８】着座式送風器Ｂに着座後、身体を左右に動かすことにより体重のかかった箱状容器２４，２４は交互に圧縮されるが、箱状容器２４，２４の空気は、は吸気孔２５，２５にある逆支弁により外部に空気が放出されることなく通気孔１２，１２を交互に通って足裏に達し気泡となって放出される。【０００９】圧縮された一方の箱状容器２４から、他方の箱状容器２４に体重を移動したとき、足湯器Ａに入れたお湯の逆流を防ぐよう排気孔２６にある逆止弁が働き、吸気孔から空気を取り込むことになる。なお、足湯器Ａの通気孔１２，１２にお湯の逆流を防ぐ逆支弁を設けてもよい。【００１０】また、足湯器Ａの通気孔１２，１２を脹脛にしてもよく、さらに、足湯器Ａに、着座式送風器Ｂの支軸板２２の高さと略等しいストッパー付のキャスターを付けることにより、椅子等に座っていた脚の高さが同じぐらいになり座り心地がよくなるほか足湯器Ａを運ぶのに便利である。【００１１】なお、夏場は冷却水を入れて気泡を発生させれば気持ちよく疲れが取れる。【００１２】そして、着座板２３の上部を座り心地のよい材質にするか、クッションを置いて、台座板２１と着座板２３を平行にして係脱可能な器具で止めれば、クッションとして利用できるほか通気管３０を外せば持ち運びにも便利である。
【考案の効果】
【００１３】以上説明したように本考案によれば、電力も使用せず軽量にして簡便に湯槽から気泡を放出する足湯器を利用できるので、足湯の効果と気泡の効果の相乗効果が得られる。
【図面の簡単な説明】
【００１４】
【図１】足湯セットの実施例を示した概略の平面図である。
【図２】足湯器の平面図である。
【図３】足湯器の側面図である。
【図４】着座用送風器の概略斜視図である。
【符号の説明】
【００１５】Ａ  足湯器
１０  湯槽
１１  四角柱
１２  通気孔
Ｂ  着座式送風器
２１  台座板
２２  支軸板
２３  着座板
２４  箱状容器
２５  吸気孔
２６  排気孔
３０  通気管
【図１】
0003152737.tif 000003
【図２】
0003152737.tif 000004
【図３】
0003152737.tif 000005
【図４】
0003152737.tif 000006
(57)【要約】      （修正有）【課題】内側のサッシ窓、サッシ戸を開ける場合、外部からの侵入防止を図ることができる固定具を提供する。【解決手段】固定具は固定具本体２１の端面にレール長さにあわせて長さを調整するためのネジがついた支持具２２と支持具調整ネジ２３が取り付けられ、また本体上面には押し出し形のストッパー２７が組み込まれた固定ブロック２４を取り付けた構造とする。固定ブロックには他に固定ブロック位置決めネジ２５やストッパーピン２６、ストッパー固定ネジ２８などを配する。該固定具をサッシ窓、サッシ戸のレールにはめ込み、支持具調整ネジ２３で固定具本体２１及び支持具２２の位置をレール長さに合わせて調整し、閉止側のサッシ戸が動かないように固定する。さらに、固定ブロック２４を、網戸を閉めた状態でストッパー２７が適当な位置になるように固定ブロックの位置を調整し、固定ブロック位置決めネジ２５で固定ブロックを固定具本体に固定する。ストッパー２７は、押し出した状態でストッパー固定ネジ２８で固定する。【選択図】図２
0003152732.tif 000002
【実用新案登録請求の範囲】
【請求項１】
閉じた状態の外側のサッシ窓、サッシ戸の引き戸の窓枠または戸枠のレールにはめ込み、該サッシ窓、サッシ戸を固定し、かつ、同じく閉じた状態の網戸を固定することにより、外部からの侵入を防止もしくは侵入しにくくすることを目的とする固定具。
【考案の詳細な説明】
【技術分野】
【０００１】
本考案は、換気のためにサッシ窓、サッシ戸の引き戸を少し開けているときに、外部からの侵入を防止するためサッシ窓、サッシ戸と網戸を固定し、開かないようにする固定具に関するものである。
【背景技術】
【０００２】
換気のためにサッシ窓、サッシ戸を少し開けた状態ではクレセント錠がかけられないので、サッシ窓、サッシ戸をある一定以上開かないようにするため、防犯目的でいろいろな補助錠が市販されている。
【先行技術文献】
【特許文献】
【０００３】
【特許文献１】特開2006-161394  公報
【考案の開示】
【考案が解決しようとする課題】
【０００４】
上記の補助錠には、両面テープでガラス等に貼り付けて使用するものや、またサッシ窓、サッシ戸の下溝に嵌めてサッシ窓、サッシ戸のスライド方向に対して直角にねじによる押付力を加え、これらの窓、戸等をレールに押し付けて固定するものなどがある。しかし、貼り付けて使用するものは直射日光の有無や結露など使用環境によってかなりばらつき、接着力が経時変化で劣化し、小さい力でもはがれてしまうことがある。一方、ねじで固定するタイプのものはよほど強い力で締めても押し付け面が小さいため、場合によっては小さい力でもサッシ戸を引くと比較的簡単に補助錠が外れて開いてしまうことがある。なおさら力の弱い女性や高齢者ではネジの締め付け力が弱く外部からの侵入を防ぐことを目的とする補助錠としての効果は期待できない。これらの問題点を解決するとともに、誰でも簡単に取り付け取り外しができ、しかも確実に固定できるようにしようとするものである。
【課題を解決するための手段】
【０００５】
本考案は、サッシ窓、サッシ戸の閉止側と閉まった状態の網戸を内側から同時に固定することにより、換気をしながら外部からの侵入を妨害し、ひいては防止することができるとともに、サッシ窓、サッシ戸のレールに固定具をはめ込むため、網戸の外からは取り付けてあるかどうか判りにくく、さらに網戸を外すか網を破らないかぎり網戸を開けることはできないようになっている。
【０００６】
そのため、クレセント錠が施錠されている場合でも、固定具のストッパーをセットしておくことで網戸が障害になり侵入をより防止する効果も期待できる。
【考案の効果】
【０００７】
上述のように、本考案の固定具はサッシ窓、サッシ戸と網戸を同時に固定するので、内側のサッシ窓、サッシ戸を開けて換気ができるとともに、外部からの侵入防止に役立つ。なお、閉止側のサッシ窓、サッシ戸を開けるときは固定具をレールから外すだけで簡単にできる。
【考案を実施するための最良の形態】
【０００８】
固定具は固定具本体21の端面にレール長さにあわせて長さを調整するためのネジがついた支持具22と支持具調整ネジ23が取り付けられ、また本体上面には押し出し形のストッパー27が組み込まれた固定ブロック24を取り付けた構造である。固定ブロックには他に固定ブロック位置決めネジ25やストッパーピン26、ストッパー固定ネジ28などを備えている。
【実施例】
【０００９】
以下、添付図面に従って一実施例を説明する。
固定具はさびに強く軽量でかつ十分な強度をもつ金属等適宜素材で形成されている。該固定具をサッシ窓、サッシ戸のレールにはめ込み、支持具調整ネジ23で固定具本体21及び支持具22の位置をレール長さに合わせて調整し、閉止側のサッシ戸が動かないように固定する。
【００１０】
固定ブロック24を、網戸を閉めた状態でストッパー27が適当な位置になるように固定ブロックの位置を調整し、固定ブロック位置決めネジ25で固定ブロックを固定具本体に固定する。
【００１１】
ストッパー27を押し出した状態でストッパー固定ネジ28で固定する。なお、ストッパーを使用しない時は、ストッパー27を閉じておけば網戸は開閉できる。
【００１２】
なお、内側のサッシ窓、サッシ戸についても同様に、該固定具を内側のレールにはめ込んで適当な長さでセットすれば開放側のサッシ窓、サッシ戸の開度を制限することができ、外部からの侵入に対して完全な防止対策となる。
【図面の簡単な説明】
【００１３】
【図１】本考案の固定具の実施例を示す平面図とレール断面図である。
【図２】固定具の斜視図で、ストッパーを使用している状態を示したものである。
【図３】固定具の正面図と側面図で、ストッパーを使用していない状態を示したものである。
【符号の説明】
【００１４】
11  レール
12  内側サッシ窓(サッシ戸)
13  固定具
・  網戸
・  外側サッシ窓(サッシ戸)
・  固定具本体
・  支持具
・  支持具調整ネジ
・  固定ブロック
・  固定ブロック位置決めネジ
・  ストッパーピン
・  ストッパー
・  ストッパー固定ネジ
【図１】
0003152732.tif 000003
【図２】
0003152732.tif 000004
【図３】
0003152732.tif 000005
【手続補正書】
【提出日】平成21年6月10日(2009.6.10)
【手続補正１】
【補正対象書類名】実用新案登録請求の範囲
【補正対象項目名】請求項１
【補正方法】変更
【補正の内容】
【請求項１】
サッシ窓またはサッシ戸（引き戸）が閉じた状態で外側のサッシ戸のレールにはめ込み、外側のサッシ戸と、さらにその外側の網戸とを固定する固定具であって、外側のサッシ戸のレールにはめ込んだ状態で、外側のサッシ戸を固定する支持具と外側のサッシ戸のレールにはめ込んだ状態で、前記網戸を固定するストッパーとを備える固定具。
(57)【要約】【課題】  実用性に優れるとともに販売促進用グッズとして好適な団扇を提供する。【解決手段】  棒状の持ち手２の上端に団扇プレート３が取り付けられて構成される団扇において、持ち手２がその下端側を筆記端５とする筆記具とされてなる団扇。【選択図】図１
0003152738.tif 000002
【実用新案登録請求の範囲】
【請求項１】
棒状の持ち手の上端に団扇プレートが取り付けられて構成される団扇において、前記持ち手がその下端側を筆記端とする筆記具とされてなることを特徴とする団扇。
【請求項２】
前記団扇プレートに販売促進用模様が付されてなる請求項１記載の団扇。
【考案の詳細な説明】
【技術分野】
【０００１】  この考案は、他機能を備える団扇に関する。
【背景技術】
【０００２】  最近では各種生活分野において「エコ運動」が推進され、例えば、エアコンディショナーの運転も制限されている。したがって夏期においては一般家庭、職場等において団扇や扇子が広く用いられるようになっている。
【考案の開示】
【考案が解決しようとする課題】
【０００３】  この考案では、実用性に優れるとともに販売促進用グッズとして好適な団扇を提供することを目的とする。
【課題を解決するための手段】
【０００４】  この考案では、棒状の持ち手の上端に団扇プレートが取り付けられて構成される団扇において、前記持ち手がその下端側を筆記端とする筆記具とされてなることを特徴とする団扇を提供する。【０００５】  上記構成の団扇は、持ち手を持つことで通常の団扇と同様にあおぎ使用することができ、かつ、その筆記具となった持ち手での筆記が行える。筆記具形態はボールペンやシャープペンシルとされる。団扇プレートには適宜のデザイン模様が付され、とくに、販売促進用の模様とされることで販売促進グッズとして好適なものが得られる。持ち手上端への団扇プレートの取り付けは適宜構成によりなされればよいが、上端に取り付け部を付設して取り付けることで容易、かつ、安定した構成での取り付けが可能となる。
【考案の効果】
【０００６】  この考案によれば、筆記が可能であるとともに、販売促進用グッズとして好適な実用性に優れる団扇が得られる。
【考案を実施するための形態】
【０００７】  図１はこの考案の団扇の外観斜視図である。団扇１は、プラスチック製の棒状の持ち手２の上端に紙製の団扇プレート３が取り付けられて構成されている。持ち手２はその下端側を筆記端５とするボールペンとなっており、その上端側に団扇プレート３の取り付け部７が備えられている。団扇プレート３には販売促進のための製品等のデザイン模様６が付されている。
【０００８】  図２は団扇プレート３の取り付け部分の分解説明図である。取り付け部７は持ち手２の上端に連結される本体部９と押さえ片１０とかなり、本体部９は持ち手２の上端開口に螺入固定されるネジ部１１と団扇プレート３の取り付け面部１２とを連続一体に備えている。取り付け面部１２の周囲３箇所には係止切り欠き部１３のそれぞれが形成されている。押さえ片１０は上記取り付け面部１２に対応する取り付け面部１５を備え、取り付けに際して取り付け面部１２に相対する面側の周囲には上記係止切り欠き部１３それぞれに対応する係止片１６のそれぞれが突出形成されている。団扇プレート３の取り付け位置には上記取り付け部７の係止切り欠き部１３、係止片１６それぞれに対応する取り付け穴１９のそれぞれが設けられている。
【０００９】  団扇プレート３の取り付けは、取り付け部７の本体部９を持ち手２の上端に固定した状態において、押さえ片１０のそれぞれの係止片１６を団扇プレート３の取り付け穴１９それぞれに差し入れ、その取り付け穴１９より突出する係止片１６それぞれを係止切り欠き部１３それぞれに係止固定することで行う。これにより団扇プレート３は、その取り付け穴１９それぞれの設けられた部分が本体部９と押え片１０それぞれの取り付け面部１２、１５間に挟持固定される状態となって安定的に取り付けられる。
【図面の簡単な説明】
【００１０】
【図１】  この考案の団扇の実施形態の外観斜視図
【図２】  この考案の団扇の実施形態の団扇プレートの取り付け部分の分解説明図
【符号の説明】
【００１１】１      団扇
２      持ち手（筆記具  ボールペン）
３      団扇プレート
５      筆記端
７      取り付け部
【図１】
0003152738.tif 000003
【図２】
0003152738.tif 000004
(57)【要約】      （修正有）【課題】電力を使用しないで腕や脚を指圧する指圧セットを提供する。【解決手段】箱状容器６０，６０を台座板２０と着座板４０の間に固着したものからなり、二本の指圧帯Ａ、Ａは、外形形状が左右対称とした、腕や脚を巻くことができる外布と内布とで形成された帯体と、この帯体の一端側に収容され、前記外布側に開閉手段を有する通気孔１４，１４を備えた指圧用空気袋１１，１１と、前記帯体の他端側の内向面と一端側の外向面に設けられ、互いに係脱可能とする布ファスナー１２，１２と、前記帯体の内向面に設けられた布ファスナー１２，１２に、突起物１３，１３の裏面に布ファスナー１２，１２を設けたものからなる突起物群の布ファスナー１２，１２が、互いに係脱可能とするものからなり、この二本の指圧帯Ａ、Ａと着座具Ｂで構成された指圧セットにおいて、この二本の指圧帯Ａ、Ａの通気孔１４，１４に、着座具Ｂの通気管５０，５０を着脱自在に嵌合する。【選択図】図１
0003152736.tif 000002
【実用新案登録請求の範囲】
【請求項１】
着座具は、中央を支軸板とする台座板の断面が逆Ｔ字状をなして、該台座板の支軸板にシーソー状に回動する着座板を備え、該支軸板を挟んで左右に、外形形状が左右対称とした、逆支弁を有する吸気孔と通気管を備え、側壁に上下方向に伸縮可能な蛇腹状の箱状容器を有し、該箱状容器を前記台座板と前記着座板の間に固着したものからなり、二本の指圧帯は、外形形状が左右対称とした、腕や脚を巻くことができる外布と内布とで形成された帯体と、該帯体の一端側に収容され、前記外布側に開閉手段を有する通気孔を備えた指圧用空気袋と、前記帯体の他端側の内向面と一端側の外向面に設けられ、互いに係脱可能とする布ファスナーと、前記帯体の内向面に設けられた布ファスナーに、突起物の裏面に布ファスナーを設けたものからなる突起物群の布ファスナーが、互いに係脱可能とするものからなり、該二本の指圧帯と前記着座具で構成された指圧セットにおいて、該二本の指圧帯の通気孔に、前記着座具の通気管を着脱自在に嵌合することを特徴とする指圧セット。
【考案の詳細な説明】
【技術分野】
【０００１】本考案は、身体を左右に傾けることにより腕や脚を指圧することができる用具に関するものである。
【背景技術】
【０００２】マッサージ器や指圧器は高価なものが多く、また、廉価のものは自分の手や他人の手を借りたり、仰臥したとき使用したり足の下におくものが多い。
【考案の概要】
【考案が解決しようとする課題】
【０００３】本考案は、比較的廉価な指圧用具で家庭において利用できるもので、身体を左右に傾けるだけで簡便に腕や脚に指圧することができる用具に関するものである。
【課題を解決するための手段】
【０００４】着座具Ｂは、中央を支軸板３０とする台座板２０の断面が逆Ｔ字状をなして、この台座板２０の支軸板３０にシーソー状に回動する着座板４０を備え、この支軸板３０を挟んで左右に、外形形状が左右対称とした、逆支弁を有する吸気孔７０，７０と通気管５０，５０を備え、側壁に上下方向に伸縮可能な蛇腹状の箱状容器６０，６０を有し、この箱状容器６０，６０を前記台座板２０と前記着座板４０の間に固着したものからなり、二本の指圧帯Ａ、Ａは、外形形状が左右対称とした、腕や脚を巻くことができる外布と内布とで形成された帯体と、この帯体の一端側に収容され、前記外布側に開閉手段を有する通気孔１４，１４を備えた指圧用空気袋１１，１１と、前記帯体の他端側の内向面と一端側の外向面に設けられ、互いに係脱可能とする布ファスナー１２，１２と、前記帯体の内向面に設けられた布ファスナー１２，１２に、突起物１３，１３の裏面に布ファスナー１２，１２を設けたものからなる突起物群の布ファスナー１２，１２が、互いに係脱可能とするものからなり、この二本の指圧帯Ａ、Ａと前記着座具Ｂで構成された指圧セットにおいて、この二本の指圧帯Ａ、Ａの通気孔１４，１４に、前記着座具Ｂの通気管５０，５０を着脱自在に嵌合する。
【考案を実施するための最良の形態】
【０００５】本考案の実施例を図で説明すると、図１に示すように箱状空気袋６０，６０の通気管５０，５０を二本の指圧帯Ａ、Ａの通気孔１４，１４にそれぞれ嵌合し、両方の箱状空気袋６０，６０の吸排気孔７０，７０から等量の空気を吹き込む。【０００６】着座具Ｂの中央に着座したあと腕や脚のツボ等に突起物１３が当たるように指圧帯Ａ、Ａを巻く。【０００７】次に、着座具Ｂに座って身体を左右に動かすことにより、身体を傾斜したほうの箱状空気袋６０，６０の空気が圧縮され指圧帯Ａ、Ａの指圧用空気袋１１，１１のほうに移動するので腕や脚に圧力がかかる。【０００８】そして、着座具Ｂの通気管５０，５０を指圧帯Ａ、Ａの通気孔１４，１４に左右入れ替えたとき、逆の腕や脚に指圧がかかるようになる。【０００９】身体を左右に大きく動かしたり小さく動かすことにより、また、早く動かしたり遅く動かしたりして圧力等を調節できる。【００１０】また、指圧帯Ａ、Ａの通気孔１４，１４に逆支弁と空気漏れ防止キャップを設けることにより、着座具Ｂの通気管５０，５０を指圧帯Ａ、Ａから離し前記空気漏れキャップを装着すれば、腕や脚に適度な指圧を持続することができるほか体重がある人や軽い人が調整できる。【００１１】また、着座具Ｂの吸排気孔７０，７０に空気の流量を調整する装置や空気漏れ防止キャップを設け、着座板４０の上部をクッション性のあるものとし、台座板２０と着座板４０を係脱可能な固定具で平行とするよう固定すれば通常のクッションとして利用することができるのほか、シーソー状に回動する着座板４０の傾斜する角度を調整する装置を付けることにより、身体を左右に動かしたとき、一定量の空気しか移動しないので便利である。【００１２】注意事項として、指圧帯Ａ、Ａを腕や脚に巻いた後から座ると、腕や脚に急激に圧力がかかることは言うまでもなく、そのような場合ゆっくり座るとよい。【００１３】そして特に、構造を同じくして頭部に巻けるよう鉢巻き状とした指圧帯があると、頭部を指圧することができるし、頭部に巻き指圧した状態で通気管を外し、頭部を指圧したままの状態で両腕や両足を指圧することができる。
【考案の効果】
【００１４】以上説明したように本考案によれば、電力を使わずに指圧効果が現れるし、体重の移動の強弱や空気の流量調整装置によっても自分の好きな指圧力が調節できる。
【００１５】また、仰臥して利用することができるほか、突起物１３を外して利用することもできる。
【００１６】そして、突起群１３を指圧帯Ａ、Ａから外して着座板４０の上に置くことにより別の効果も生まれる。
【図面の簡単な説明】
【００１７】
【図１】本考案の腕や脚を巻く指圧帯Ａの実施の形態例を示す概略説明図である。
【図２】本考案の指圧帯Ａの外向面を示す概略斜視図である。
【図３】本考案の着座具Ｂの概略斜視図である。
【符号の説明】
【００１８】Ａ  指圧帯
１１，１１  指圧用空気袋
１２，１２  布ファスナー
１３，１３  突起物
１４，１４  通気孔
Ｂ  着座具
２０  台座板
３０  支軸板
４０  着座板
５０  通気管
６０  箱状容器
７０  吸気孔
【図１】
0003152736.tif 000003
【図２】
0003152736.tif 000004
【図３】
0003152736.tif 000005
(57)【要約】      （修正有）【課題】暑い時に外部で仕事をする時に日焼けを防止することと、顔面に飛んでくる害虫を防止するカバーを提供する。【解決手段】日焼け防止カバーは、顔面に巻き付けるため、風通しの良い素材の繊維を使用し、密目の網でも良い。顔面の目の部分に複数の穿設を設け、日焼け防止カバーを取り付け、後方先端部左右にファスナーを設ける。【選択図】図１
0003152720.tif 000002
【実用新案登録請求の範囲】
【請求項１】
日焼け防止カバーは、顔面、目の部分、複数の穿設を設けた日焼け防止カバー。
【請求項２】
日焼け防止カバー取付け後、先端部左右にファスナーを設けた請求項１からなる日焼け防止カバー。
【考案の詳細な説明】
【技術分野】
【０００１】本考案は日焼け防止カバーに関する。
【背景技術】
【０００２】日焼け防止カバーは古来より頭に被る物品の考案の物は知られている。
【考案の開示】
【考案が解決しようとする課題】
【０００３】しかしながら、頭に被ることで、顔面に飛び付く害虫などの害があり、欠点があった。
【課題を解決するための手段】
【０００４】本考案は風通しの良い素材の繊維、密目の網からなり、顔面に巻き付けて使用、目の部分に複数の穿設を設ける。鼻、口の部分に風通しの良い素材を設け、顔面巻き付け調整のため、日焼け防止カバー後方先端部左右に、ファスナーを設けて、これにより、上記課題を解決するものである。
【考案を実施するための形態】
【０００５】図１に示すように、日焼け防止カバーは顔面に巻付けるため、素材を風通しの良い息苦しくない繊維、密目の網を使用すると良い。
【０００６】顔面巻付けカバーの目の部分に複数の穿設を設ける。
【０００７】顔面に巻き付けるため、日焼け防止カバー後方先端部に、ファスナーを設けて取り付ける。
【０００８】日焼け防止カバーは、日焼けだけでなく、顔面に巻き付けることで害虫の害を防止できる。
【考案の効果】
【０００９】本考案に係る日焼け防止カバーは、暑い時の日焼けだけでなく、害虫が顔面に飛び付くことも防止でき、実用性にも優れたものである。
【図面の簡単な説明】
【図１】  本考案に係る、日焼け防止カバーの正面使用図である。
【図２】  本考案に係る、日焼け防止カバーの工程図である。
【符号の説明】１      日焼け防止カバー
２      目の部分に設けた穿設
３      鼻、口部分に設けた風通しの良い素材（密目の網等）
４      止め具、ファスナー
【図１】
0003152720.tif 000003
【図２】
0003152720.tif 000004
(57)【要約】      （修正有）【課題】パネルを損傷することなく正確・安全かつ短時間で調整、取付けができるパネル調整工具を提供する。【解決手段】中空ハンドル軸の先端へ上下対置状態に咬止爪を設けた調整具本体を螺合して設け、パネル押さえを連結したパネル押さえアームを作動自在に中空ハンドル軸へ螺合し近設して設け、サンドイッチパネルを調整するパネル調整工具を構成する。【選択図】図１
0003152714.tif 000002
【実用新案登録請求の範囲】
【請求項１】
中空ハンドル軸の先端へ上下対置状態に咬止爪を設けた調整具本体を螺合して設け、パネル押さえを連結したパネル押さえアームを作動自在に中空ハンドル軸へ螺合し近設して設けた、サンドイッチパネルを調整するパネル調整工具。
【考案の詳細な説明】
【技術分野】
【０００１】本案は中空軸へ角柱つかみ具とパネル押さえ具を近設したパネル調整工具に関するものである。
【背景技術】
【０００２】従来、本考案に類似したものはなく、重ねたパネルの上部をハンマーなどで叩いたり長ボルトを介在したＬ字形アングル材で上下を挟み、六角ナットで締めていた。
【先行技術文献】
【０００３】
【考案の概要】
【０００４】従来の工法ではハンマーで強く叩いた箇所が損傷し、又ボルト、Ｌ字アングルによる作業時に左右がずれて誤差が生じ、更には作業時間がかかり非効率的であり、これを解消したく考案したものである。
【考案が解決しようとする課題】
【０００５】そのために、次のような問題点があった。
（イ）重ねたパネルの上部をハンマーで叩いていたため、パネル上部がへこみ破損したりしていた。
（ロ）ボルトを介在したＬ字状アングル材で上下のパネルを挟み、六角ナットで締め付けていた為、垂直、正確に挟まないとパネルが左右の誤差が生じ、更に締め付け時間がかかり作業効率が悪かった。
本考案は、これらの問題点を解決する為になされたものである。
【課題を解決するための手段】
【０００６】上下対置状態に咬止爪を設けた調整具本体を中空ハンドル軸の先端へ螺合して設けパネル押さえを連結したパネル押さえアームを作動自在に中空ハンドル軸へ螺合し近設して設ける。以上を特徴とするパネル調整工具である。
【考案の効果】
【０００７】本考案、パネル調整工具を使用することにより、パネルを損傷することなく正確安全に調整可能になり、中空ハンドル軸の上下作動作業により短時間に調整が可能となり安全作業が出来る。
【図面の簡単な説明】
【０００８】
【図１】本考案の斜視図
【図２】本考案の分解斜視図
【図３】本考案の実施例を示す斜視図
【考案を実施するための最良の形態】
【０００９】以下、本考案の実施の形態について説明する。
（イ）上下対置状態に咬止爪  イ、ロ、を設けた調整具本体を中空ハンドル軸（４）の先端に螺号して設ける。
（ロ）パネル押さえ（３）をパネル押さえアーム（２）へ螺号連結して設け、これを調整具本体（１）に近設して中空ハンドル軸へ螺号して設ける。
【符号の説明】
【００１０】１        調整具本体
２        パネル押さえアーム
３        パネル押さえ
４        中空ハンドル軸
イ        咬止爪
ロ        咬止爪
【図１】
0003152714.tif 000003
【図２】
0003152714.tif 000004
【図３】
0003152714.tif 000005